(57)【要約】【課題】  表皮の端末部を芯材に簡単かつ確実に巻きこみ固定できるようにする。【解決手段】  車両用内装部品としての化粧パッド１は、芯材１０と、芯材１０の表側を覆う表皮２０とを備えている。芯材１０は、本体部１１と、本体部の周縁の少なくとも一部に薄肉ヒンジ１３を介して回動可能に連なる取付片１２と、本体部１１の周縁近傍において取付片１２に対応した位置に本体部１１の裏側の面から突出するようにして形成された保持片１５と、を一体に有している。表皮２０は、芯材１０の本体部１１に対応する主部２１と、この主部２１の周縁に連なる端末部２２とを有している。表皮２０の端末部２２が取付片１２の表側の面に接着されている。取付片１２が保持片１５に係合することにより、端末部２２が、芯材１０の本体部１１の周縁の少なくとも一部を巻き込んで固定されている。【選択図】  図４
2019099071.tif 000002
【特許請求の範囲】
【請求項１】
芯材と、上記芯材の表側を覆う表皮とを備えた車両用内装部品において、
上記芯材は、本体部と、上記本体部の周縁の少なくとも一部に薄肉ヒンジを介して回動可能に連なる取付片と、上記本体部の周縁近傍において上記取付片に対応した位置に上記本体部の裏側の面から突出するようにして形成された保持片と、を一体に有し、
上記表皮は、上記芯材の上記本体部に対応する主部と、この主部の周縁に連なる端末部とを有し、
上記表皮の上記端末部が上記取付片の表側の面に接着されており、
上記取付片が上記保持片に連結されることにより、上記端末部が、上記芯材の本体部の周縁の少なくとも一部を巻き込んで固定されていることを特徴とする車両用内装部品。
【請求項２】
上記取付片および上記保持片は、上記芯材の本体部の周縁の少なくとも一部に沿って間隔をおいて複数配置されていることを特徴とする請求項１に記載の車両用内装部品。
【請求項３】
上記芯材の上記取付片には係合穴が形成されており、上記係合穴に上記保持片の先端が挿入されることにより、上記取付片と上記保持片が係合されていることを特徴とする請求項１または２に記載の車両用内装部品。
【請求項４】
上記取付片が湾曲部を有しており、この湾曲部に上記係合穴が形成されていることを特徴とする請求項３に記載の車両用内装部品。
【請求項５】
上記表皮の主部も上記芯材の本体部に接着されていることを特徴とする請求項１〜４のいずれかに記載の車両用内装部品。
【発明の詳細な説明】
【技術分野】
【０００１】
本発明は、車両用内装部品に関し、特に表皮の端末部を芯材に固定する手段の改良に関する。
【背景技術】
【０００２】
車両には、車室に面して種々の内装部品が設けられている。特許文献１に開示されているように、内装部品は芯材と芯材の表側を覆う表皮とを備えている。表皮の端末部（周縁部）は芯材の周縁を巻き込んでその裏側の面に接着されている。
【先行技術文献】
【特許文献】
【０００３】
【特許文献１】特開２００３−１１８４９２号公報
【発明の概要】
【発明が解決しようとする課題】
【０００４】
芯材の周縁近傍の裏側の面には、他の内装部品等へ取り付けるため構造（例えばボス部等）が設けられている箇所があり、この取付構造を避けるために、接着剤の塗布領域を十分に確保できないことがある。この場合、表皮の端末部の接着強度が弱くなり、例えば内装部品を装着する際に表皮の端末部に力が加わって、端末部にずれが生じることがあった。
【課題を解決するための手段】
【０００５】
上記課題を解決するために、本発明は、芯材と、上記芯材の表側を覆う表皮とを備えた車両用内装部品において、
上記芯材は、本体部と、上記本体部の周縁の少なくとも一部に薄肉ヒンジを介して回動可能に連なる取付片と、上記本体部の周縁近傍において上記取付片に対応した位置に上記本体部の裏側の面から突出するようにして形成された保持片と、を一体に有し、上記表皮は、上記芯材の上記本体部に対応する主部と、この主部の周縁に連なる端末部とを有し、上記表皮の上記端末部が上記取付片の表側の面に接着されており、上記取付片が上記保持片に連結されることにより、上記端末部が、上記芯材の本体部の周縁の少なくとも一部を巻き込んで固定されている。
【０００６】
上記構成によれば、芯材の周縁近傍の裏側の面において十分な接着領域を確保できなくても、簡単かつ確実に、表皮の端末部を芯材の周縁に巻き込むようにして固定することができる。
【０００７】
好ましくは、上記取付片および上記保持片は、上記芯材の本体部の周縁の少なくとも一部に沿って間隔をおいて複数配置されている。
上記構成によれば、複数箇所での係合により、安定して表皮の端末部を固定できる。
【０００８】
好ましくは、上記芯材の上記取付片には係合穴が形成されており、上記係合穴に上記保持片の先端が挿入されることにより、上記取付片と上記保持片が係合されている。
上記構成によれば、第１、保持片の形状を簡略化できるので、表皮の端末部の固定作業が容易であるとともに、射出成形時にスライド型を用いずに低コストで製造することができる。
【０００９】
好ましくは、上記取付片が湾曲部を有しており、この湾曲部に上記係合穴が形成されている。
上記構成によれば、取付片の湾曲部の弾性変形を利用して、簡単かつ確実に第１、保持片を係合することができる。
【００１０】
好ましくは、上記表皮の主部も上記芯材の本体部に接着されている。
【発明の効果】
【００１１】
本発明によれば、簡単かつ確実に、表皮の端末部を芯材に巻き込み固定することができる。
【図面の簡単な説明】
【００１２】
【図１】本発明の一実施形態に係る車両用内装部品としてのインストルメントパネル用化粧パッドの一部と、この化粧パッドの周縁部に嵌る化粧枠の一部とを分解して示す平面図である。
【図２】上記化粧パッドの芯材の平面図である。
【図３】上記芯材の取付片の拡大平面図である。
【図４】上記化粧パッドの製造過程を順に示す要部の断面図であり、（Ａ）は化粧パッドの芯材を示し、（Ｂ）は上記芯材に表皮を接着した状態を示し、（Ｃ）は上記取付片を上記芯材の裏面に形成された保持片に係合させることにより、表皮の端末部を芯材に巻き込み固定した状態を示し、（Ｄ）は上記化粧パッドに化粧枠を装着した状態を示す。
【発明を実施するための形態】
【００１３】
以下、本発明の一実施形態を、図面を参照しながら説明する。図１に示す化粧パッド１（車両用内装部品）は、その周縁部に化粧枠２を装着した状態でインストルメントパネルの凹部に嵌め込まれるようになっている。化粧枠２は逆Ｕ字形をなし、化粧パッド１の縁に沿って延びている。
化粧パッド１は、芯材１０と、この芯材１０の表側を覆う表皮２０とを備えている。
【００１４】
図２に示すように、芯材１０は、例えばポリプロピレン系樹脂からなる射出成形品であり、特殊な平面形状の本体部１１を有している。この本体部１１の周縁の選択された部位１１ａは凹曲線をなし、その近傍の裏面には、化粧パッド１をインストルメントパネルへ取り付けるためのボス部（図示しない）が複数形成されている。図２において本体部１１の周縁の残りの部位に符号１１ｂを付す。
【００１５】
図２に示すように、本体部１１の周縁の選択部位１１ａに沿って複数の取付片１２が間隔をおいて配置されている。図３、図４（Ａ）に示すように、各取付片１２は、薄肉ヒンジ１３（ＰＰヒンジ）を介して、回動可能に本体部１１に連なっている。薄肉ヒンジ１３は、選択部位１１ａに沿って直線的に延びている。
【００１６】
取付片１２は、断面形状が略Ｌ字形をなし、湾曲部１２ａを有している。この湾曲部１２ａには、薄肉ヒンジ１３と平行に延びるスリット状の係合穴１２ｘが形成されている。
【００１７】
本体部１１の周縁の選択部位１１ａ近傍における裏側の面には、複数の保持片１５が突出形成されている。この保持片１５は板形状をなし、上記取付片１２の係合穴１２ｘに対応した位置に配置され、薄肉ヒンジ１３から所定間隔離れるとともに薄肉ヒンジ１３と平行をなしている。
上記本体部１１、取付片１２、薄肉ヒンジ１３、保持片１５は、一体をなして射出成形される。
【００１８】
図１、図４（Ｂ）に示すように、表皮２０は、芯材１０の本体部１１より広い面積を有しており、芯材１０の本体部１１に対応する主部２１と、本体部１１の全周縁から張り出した端末部２２とを有している。
【００１９】
表皮２０は、以下のようにして芯材１０に接着される。
まず、芯材１０の本体部１１の表側の面全域と、本体部１１の周縁の選択部位１１ａに形成された取付片１２の一部、すなわち係合穴１２ｘより本体部１１寄りの領域の表側の面に、接着剤が吹き付けられる。さらに、本体部１１の裏側の面のうち、本体部１１の周縁の部位１１ｂに沿う所定幅の領域にも、接着剤が吹き付けられる。
【００２０】
次に、表皮２０が芯材１０に重ねられる。これにより、表皮２０の主部２１が芯材１０の本体部１１の全域に接着され、表皮の端末部２２において上記選択部位１１ａに対応する部位が、間隔をおいて取付片１２に接着される。図３、図４（Ｂ）に示すように、端末部２２は取付片１２の係合穴１２ｘを覆わず、係合穴１２ｘより内側の領域に接着されている。
【００２１】
次に、図４（Ｃ）に示すように取付片１２が、薄肉ヒンジ１３を中心に芯材１０の裏側に向かって回動され、取付片１２の係合穴１２ｘに保持片１５の先端が挿入されることにより取付片１２と保持片１５が係合され、その結果、表皮２０の端末部２２は、芯材１０の本体部１１の周縁の選択部位１１ａを巻き込むようにして固定される。この係合工程において、取付片１２の先端が保持片１５の先端を乗り越える際に湾曲部１２ａが弾性変形し、係合穴１２ｘに保持片１５の先端が入り込んだ時、弾性復帰する。
【００２２】
表皮２０の端末部２２において、芯材１０の本体部１１の周縁の他の部位１１ｂに対応する領域では、この部位１１ｂを巻き込んでその裏側の面に接着される。
【００２３】
上記のように、裏側の面にボス部等が形成されていて接着剤を十分に供給できない部位、すなわち本体部１１の周縁の選択部位１１ａでは、端末部２２を接着した取付片１２を裏側の保持片１５に係合することにより、端末部２２を巻き込んでしっかりと固定することができる。その結果、図４（Ｄ）に矢印Ｆで示すように化粧枠２を化粧パッド１の裏側から嵌め込む際に、表皮２０の端末部２２が芯材１０に対してずれるのを確実に防止することができる。
【００２４】
本発明は、上記実施形態に限定されるものではなく、その要旨を逸脱しない範囲において各種の変形例を採用することができる。
例えば、取付片に爪部を形成し、保持片に係合穴を形成し、取付片を回動させることにより爪部を係合穴に嵌めるようにしてもよい。
取付片と保持片は、係合によらず溶着により連結してもよい。
上記実施形態では芯材の周縁の選択された部位に取付片を形成したが、周縁の全周にわたって間隔をおいて取付片を形成してもよい。
芯材の本体部と表皮の主部は接着しなくてもよいし、一部、例えば主部の周縁部だけに接着してもよい。
本発明は化粧パッド以外の車両用内装部品にも適用可能である。
【産業上の利用可能性】
【００２５】
本発明は、芯材と表皮とを有する車両用内装部品に適用可能である。
【符号の説明】
【００２６】
１  化粧パッド（車両用内装部品）
２  化粧枠
１０  芯材
１１  本体部
１１ａ  周縁の選択部位
１２  取付片
１２ａ  湾曲部
１２ｘ  係合穴
１３  薄肉ヒンジ
１５  保持片
２０  表皮
２１  主部
２２  端末部
【図１】
2019099071.tif 000003
【図２】
2019099071.tif 000004
【図３】
2019099071.tif 000005
【図４】
2019099071.tif 000006